(57)【要約】【課題】  スポンジ、土、砂等のベースに対する位置と姿勢を容易に安定させることができる筒棒状の装飾体を提供する。【解決手段】  筒体１１の下端面１１ａをベース３０の上面に当接させた状態で、ベースの上面に起立させる装飾体１０ＡＢであって、筒体の下端側には、この筒体の軸線方向に下端面を超えて突出形成されてベースに差し込み可能な差込片１２が設けられており、差込片は、筒体の周方向に沿って湾曲した板状体であることを特徴とする。複数本の筒体が、径方向に重ねられるとともに、各筒体の下端面が隣接する筒体の下端面と面一になるように組み合わされた状態で、一体的に固定されている。【選択図】図７
2016195719.tif 000002
【特許請求の範囲】
【請求項１】
筒体（１１）の下端面（１１ａ）をベース（３０）の上面に当接させた状態で、前記ベースの上面に起立させる装飾体（１０Ａ〜１０Ｉ）であって、
前記筒体の下端側には、この筒体の軸線方向に前記下端面を超えて突出形成されて前記ベースに差し込み可能な差込片（１２）が設けられており、
前記差込片は、前記筒体の周方向に沿って湾曲した板状体であることを特徴とする装飾体。
【請求項２】
前記差込片は、前記筒体の周方向に沿う方向の幅が突出方向に向けて漸次縮小している略台形状であることを特徴とする請求項１に記載の装飾体。
【請求項３】
前記差込片は、前記筒体の外周面（１１ｃ）に沿って湾曲した外側面（１２ａ）と、前記下端面が形成された側に平坦部（１２ｂａ）を有する内側面（１２ｂ）とを備えた薄板形状とされるとともに、その厚みが突出方向に向けて漸次縮小していることを特徴とする請求項１又は２に記載の装飾体。
【請求項４】
前記差込片の下端側がフック状に形成されていることを特徴とする請求項１〜３の何れか１項に記載の装飾体。
【請求項５】
前記筒体の内部には、前記筒体の外部を照らすライト（１３）が設けられていることを特徴とする請求項１〜４の何れか１項に記載の装飾体。
【請求項６】
前記差込片が形成された筒体を少なくとも１つ含む複数本の筒体が設けられ、当該複数本の筒体は、径方向に重ねられるとともに、各筒体の下端面が隣接する筒体の下端面と面一になるように組み合わされた状態で、一体的に固定されていることを特徴とする請求項１〜５の何れか１項に記載の装飾体。
【請求項７】
前記筒体は、門松（１）に用いられる竹又は竹の模造品であることを特徴とする請求項１〜６の何れか１項に記載の装飾体。
【発明の詳細な説明】
【技術分野】
【０００１】
本発明は、正月飾りの門松等に用いられる筒棒状の装飾体に関する。
【背景技術】
【０００２】
特許文献１には、正月に家の玄関口等に飾る門松の一例が開示されている。この門松は複数本の竹を備えている。当該複数本の竹は、径方向に重ねられるとともに、各竹の下端面が隣接する竹の下端面と面一になるように組み合わされており、当該下端面をスポンジ製のベースの上面に当接させた状態で、ベースの上面に起立させる。
【先行技術文献】
【特許文献】
【０００３】
【特許文献１】実開平３−３５７８６号公報
【発明の概要】
【発明が解決しようとする課題】
【０００４】
特許文献１の門松では、複数本の竹をベースに対してどのように設置しているかは必ずしも明らかではないが、ベースの上面に載せているだけでは、竹の位置と姿勢が安定しないという問題がある。なお、竹をベースに取り付ける場合には、工具や補助材料（例えば、接着剤）を用いることなく、容易に取り付け可能であることが望ましい。
本発明は、上記問題点に鑑みてなされたものであり、スポンジ、土、砂等のベースに対する位置と姿勢を容易に安定させることができる筒棒状の装飾体を提供することにある。
【課題を解決するための手段】
【０００５】
上記課題を解決するため、本発明は、以下の技術的手段を講じている。
すなわち、本発明は、筒体１１の下端面１１ａをベース３０の上面に当接させた状態で、前記ベースの上面に起立させる装飾体１０Ａ〜１０Ｉであって、前記筒体の下端側には、この筒体の軸線方向に前記下端面を超えて突出形成されて前記ベースに差し込み可能な差込片１２が設けられており、前記差込片は、前記筒体の周方向に沿って湾曲した板状体であることを特徴とする。
【０００６】
なお、前記差込片を、前記筒体の周方向に沿う方向の幅が突出方向に向けて漸次縮小している略台形状にすることもできる。
また、前記差込片を、前記筒体の外周面１１ｃに沿って湾曲した外側面１２ａと、前記下端面が形成された側に平坦部１２ｂａを有する内側面１２ｂとを備えた薄板形状とするとともに、その厚みが突出方向に向けて漸次縮小しているようにすることもできる。
【０００７】
また、前記差込片の下端側をフック状に形成することもできる。
また、前記筒体の内部に、前記筒体の外部を照らすライト１３を設けることもできる。
また、前記差込片が形成された筒体を少なくとも１つ含む複数本の筒体が設けられ、当該複数本の筒体が、径方向に重ねられるとともに、各筒体の下端面が隣接する筒体の下端面と面一になるように組み合わされた状態で、一体的に固定されているようにすることもできる。
【発明の効果】
【０００８】
本発明によれば、スポンジ、土、砂等のベースに対する筒棒状の装飾体の位置と姿勢を容易に安定させることができる。
【図面の簡単な説明】
【０００９】
【図１】第１実施形態の装飾体の正面図である。
【図２】第１実施形態の装飾体の背面図である。
【図３】第１実施形態の装飾体の側面図である。
【図４】第１実施形態の装飾体の平面図である。
【図５】第１実施形態の装飾体の底面図である。
【図６】第２実施形態の装飾体を備えた門松の斜視図である。
【図７】第２実施形態の装飾体の正面図である。
【図８】第２実施形態の装飾体の底面図である。
【図９】第３実施形態の装飾体の背面側の要部斜視図及び底面図である。
【図１０】第４実施形態の装飾体の背面側の要部斜視図及び底面図である。
【図１１】第５実施形態の装飾体の背面側の要部斜視図及び底面図である。
【図１２】第６実施形態の装飾体の背面側の要部斜視図及び底面図である。
【図１３】第７実施形態の装飾体の背面側の要部斜視図及び底面図である。
【図１４】第８実施形態の装飾体の背面側の要部斜視図及び底面図である。
【図１５】第９実施形態の装飾体の背面側の要部斜視図及び底面図である。
【図１６】第１０実施形態の装飾体に用いられる筒体の要部斜視図及び要部背面図である。
【発明を実施するための形態】
【００１０】
以下、本発明に係る装飾体の実施形態を図面に基づき詳しく説明する。
最初に図１〜図５を参照して本発明の第１実施形態を説明する。
本実施形態の装飾体１０Ａは、門松等に用いられるものであって、竹の上端を前方に向けて斜め下方にそぎ落とした形状を呈している。装飾体１０Ａは、乾燥竹や生竹を用いて作製されるが、その他の素材（例えば、合成樹脂）によって作製された竹の模造品であってもよい。
【００１１】
装飾体１０Ａは円筒状の筒体１１を備えている。筒体１１の下端面１１ａは軸線方向と直交しており、上端面１１ｂは軸線方向に対して所定角度傾斜している。
筒体１１の下端側の後部側には差込片１２が設けられている。差込片１２は、筒体１１の軸線方向に下端面１１ａを超えて突出形成されている。差込片１２は、筒体１１の周方向に沿って湾曲した板状体であり、断面略円弧状を呈している。
【００１２】
また、本実施形態の差込片１２は略台形状に形成され、筒体１１の周方向に沿う方向の幅が突出方向に向けて漸次縮小しており、先端部側の幅ａが基端部側の幅ｂよりも小さくなっている。
さらに、本実施形態の差込片１２は、筒体１１の外周面１１ｃに沿って湾曲した外側面１２ａと、下端面１１ａが形成された側に平坦部１２ｂａを有する内側面１２ｂとを備えた薄板形状とされるとともに、その厚みが突出方向に向けて漸次縮小している。
【００１３】
差込片１２を、吸水スポンジ、発泡材、土、砂等の柔らかい素材によって構成されたベースに差し込んで、筒体１１の下端面１１ａをベースの上面に当接させることによって、装飾体１０Ａをベースの上面に起立させることができる。
差込片１２によって装飾体１０Ａのベースに対する移動が抑制されるため、装飾体１０Ａの位置が安定する。
【００１４】
また、差込片１２と下端面１１ａによって装飾体１０Ａの傾きが抑制されるため、装飾体１０Ａの姿勢が安定する。
なお、差込片１２は、筒体１１の周方向に沿って湾曲した板状体であるため、差込片１２が棒状の場合と比べると、装飾体１０Ａが差込片１２を中心として回転しにくく、且つ装飾体１０Ａが傾きにくいため、安定性が高い。
【００１５】
また、差込片１２の幅は差込片１２の突出方向に向けて漸次縮小しているため、差込片１２の幅が差込片１２の突出方向全長に亘って一定の場合と比べると、差込片１２をベース３０へ差し込みやすい。
また、差込片１２の先端部は尖っていないので、ユーザーが差込片１２の先端部によって怪我をするのを抑制することができる。
【００１６】
さらに、差込片１２の厚みは差込片１２の突出方向に向けて漸次縮小しているため、差込片１２の厚みが差込片１２の突出方向全長に亘って一定の場合と比べると、差込片１２をベース３０へ差し込みやすい。
差込片１２の各部の寸法比率は特に限定されないが、筒体１１が傾きにくいように設定される。例えば、差込片１２は筒体１１の１／４周以上に亘って形成されることが望ましい。また、差込片１２の突出長さをｃ、筒体１１の直径をｄ、筒体１１の長さをｅとした場合に、ｂ≧０．７５ｄ、ｃ≧０．１９ｅであることが望ましい。
【００１７】
なお、差込片１２をベースに差し込む作業は極めて容易であり、工具や補助材料を必要とせずに、装飾体１０Ａをワンタッチでベース３０に取り付けることができる。したがって、装飾体１０Ａのベースに対する位置と姿勢を容易に安定させることができる。
次に、図６〜図８を参照して本発明の第２実施形態を説明する。なお、以下の各実施形態において、それ以前に説明した実施形態と対応する部位には同一の符号を使用し、重複する説明は省略するものとする。
【００１８】
本実施形態の装飾体１０Ｂは、門松１に用いられるものであって、カップ状の容器２０に収容されたベース３０の上面に起立させる。
装飾体１０Ｂは３本の筒体１１を備えており、そのうちの１本は、他の２本の後方に配置され、且つ他の２本の間に位置している。
後方に配置された筒体１１は他の２本の筒体１１よりも長く、他の２本の筒体１１の長さは同じである。
【００１９】
３本の筒体１１は、径方向に重ねられるとともに、各筒体１１の下端面１１ａが隣接する筒体１１の下端面１１ａと面一になるように組み合わされた状態で、一体的に固定されている。
より具体的には、３本の筒体１１は、紐４０によって結束されるとともに、グルーガンボンド（図示せず）によって相互に接着されている。なお、３本の筒体１１を他の手段で固定することもできる。
【００２０】
３本の筒体１１の差込片１２をベース３０に差し込んで、各筒体１１の下端面１１ａをベース３０の上面に当接させることにより、装飾体１０Ｂをベース３０の上面に起立させる。
次に、図９を参照して本発明の第３実施形態を説明する。
本実施形態の装飾体１０Ｃは、差込片１２以外は第２実施形態と同じ構成を有しており、第２実施形態と異なる部分についてのみ説明する。
【００２１】
本実施形態では、後方に配置された筒体１１の差込片１２が筒体１１の後部側に設けられ、その内側面１２ｂは前方を向いている。
また、他の２本の筒体１１の差込片１２が筒体１１の前部側に設けられ、その内側面１２ｂは後方を向いている。
さらに、各筒体１１の差込片１２は、筒体１１の略半周に亘って形成されている。
【００２２】
このように構成することで、第２実施形態と比べて、後方に配置された筒体１１の差込片１２の先端部と、他の２本の筒体１１の差込片１２の先端部との間隔Ｄが大きくなるとともに、差込片１２の内側面１２ｂの面積が増加するため、筒体１１が傾きにくくなるとともに移動しにくくなり、安定性が向上する。
次に、図１０を参照して本発明の第４実施形態を説明する。
【００２３】
本実施形態の装飾体１０Ｄは、差込片１２以外は第３実施形態と同じ構成を有しており、第３実施形態と異なる部分についてのみ説明する。
本実施形態では、後方に配置された筒体１１に差込片１２が設けられておらず、他の２本の筒体１１にのみ差込片１２が設けられている。
差込片１２の形状は第３実施形態と同じであるが、差込片１２は筒体１１の後部側に設けられ、その内側面は前方を向いている。
【００２４】
このように、２本の筒体１１にのみ差込片１２を設けることで、第３実施形態と比べて安定性は低下するものの、製造コストが低減する。
次に、図１１を参照して本発明の第５実施形態を説明する。
本実施形態の装飾体１０Ｅは、差込片１２以外は第３実施形態と同じ構成を有しており、第３実施形態と異なる部分についてのみ説明する。
【００２５】
本実施形態では、後方に配置された筒体１１にのみ差込片１２が設けられ、他の２本の筒体１１には差込片１２が設けられていない。
差込片１２の形状は第３実施形態と同じであるが、差込片１２は筒体１１の前部側に設けられ、その内側面は後方を向いている。
このように、１本の筒体１１にのみ差込片１２を設けることで、第３実施形態と比べて安定性は低下するものの、製造コストが低減する。
【００２６】
次に、図１２を参照して本発明の第６実施形態を説明する。
本実施形態の装飾体１０Ｆは、差込片１２以外は第３実施形態と同じ構成を有しており、第３実施形態と異なる部分についてのみ説明する。
本実施形態では、各筒体１１に設けられた差込片１２の下端側がフック状に形成されている。
【００２７】
すなわち、差込片１２の先端部１２ｃは半円筒状に形成され、その上側の部位１２ｄは１／４円筒状に形成されており、先端部１２ｃの一側が上側の部位１２ｄに対して一側方に突出している。
このように構成することで、差込片１２の下端側がフック状に形成されていない場合と比べて、差込片１２がベース３０から抜けにくくなるため、安定性が向上する。
【００２８】
次に、図１３を参照して本発明の第７実施形態を説明する。
本実施形態の装飾体１０Ｇは、差込片１２以外は第６実施形態と同じ構成を有しており、第６実施形態と異なる部分についてのみ説明する。
本実施形態の装飾体１０Ｇでは、後方に配置された筒体１１には差込片１２が設けられておらず、他の２本の筒体１１にのみ差込片１２が設けられている。
【００２９】
差込片１２の形状は第６実施形態と同じであるが、差込片１２は筒体１１の後部側に設けられ、その内側面は前方を向いている。
このように、２本の筒体１１にのみ差込片１２を設けることで、第６実施形態と比べて安定性は低下するものの、製造コストが低減する。
次に、図１４を参照して本発明の第８実施形態を説明する。
【００３０】
本実施形態の装飾体１０Ｈは、差込片１２以外は第６実施形態と同じ構成を有しており、第６実施形態と異なる部分についてのみ説明する。
本実施形態では、後方に配置された筒体１１にのみ差込片１２が設けられ、他の２本の筒体１１には差込片１２が設けられていない。
差込片１２の形状は第６実施形態と同じであるが、差込片１２は筒体１１の前部側に設けられ、その内側面は後方を向いている。
【００３１】
このように、後方に配置された筒体１１にのみ差込片１２を設けることで、第６実施形態と比べて安定性は低下するものの、製造コストが低減する。
次に、図１５を参照して本発明の第９実施形態を説明する。
本実施形態の装飾体１０Ｉは、差込片１２以外は第３実施形態と同じ構成を有しており、第３実施形態と異なる部分についてのみ説明する。
【００３２】
本実施形態では、各筒体１１に設けられた差込片１２が全長に亘って半円筒状に形成されるとともに、その先端縁が円弧状に形成されて突出方向に膨出している。
このように、差込片１２を全長に亘って半円筒状にすることで、差込片１２を台形状や１／４円筒状に形成する場合と比べて筒体１１が傾きにくくなるとともに移動しにくくなるため、安定性が向上する。
【００３３】
次に、図１６を参照して本発明の第１０実施形態を説明する。
本実施形態では、筒体１１の内部にライト１３が設けられている。ライト１３は、例えばＬＥＤによって構成され、筒体１１の節１４の上面に載置されている。
ライト１３は、筒体１１の外周面上に固定されたバッテリー１５に電線１６を介して接続されている。電線１６の一端は、節１４に形成された第１開口部１７と、筒体１１に形成された第２開口部１８とを介して筒体１１の外部に引き出されている。
【００３４】
ライト１３は、バッテリー１５から供給される電力によって点灯する。ライト１３を点灯させることで、夜間や暗所における門松１の装飾性が向上する。
なお、バッテリー１５に代えて、商用電源のコンセントからライト１３に電力を供給するようにしてもよい。
以上、図１〜図１６を参照して本発明の具体的な実施形態を説明したが、本発明は上記実施形態に限定されるものではなく、本発明の要旨を逸脱しない範囲で上記実施形態に種々の改変を施すことができる。
【００３５】
例えば、上記実施形態では、装飾体が１本又は３本の筒体を備えた場合について説明したが、装飾体は２本又は４本以上の筒体を備えていてもよい。
また、上記実施形態では、差込片の幅が突出方向に向けて漸次縮小しているが、差込片の幅が突出方向全長に亘って均一となるようにしてもよく、差込片の幅が突出方向に向けて漸次拡大するようにしてもよい。
【００３６】
また、上記実施形態では、差込片の厚みが突出方向に向けて漸次縮小しているが、差込片の厚みが突出方向全長に亘って均一となるようにしてもよく、差込片の厚みが突出方向に向けて漸次拡大するようにしてもよい。
また、上記実施形態では、複数本の筒体の全てにライトが設けられているが、複数本の筒体のうちの一部にのみライトを設けてもよい。
【００３７】
また、本発明の装飾体は、門松以外の物品に用いることもできる。
その他にも、本発明の要旨を逸脱しない範囲で上記実施形態に種々の改変を施すことができる。
【符号の説明】
【００３８】
１    門松
１０Ａ〜１０Ｉ    装飾体
１１  筒体
１１ａ  下端面
１２  差込片
１２ａ  外側面
１２ｂ  内側面
１３  ライト
【図１】
2016195719.tif 000003
【図２】
2016195719.tif 000004
【図３】
2016195719.tif 000005
【図４】
2016195719.tif 000006
【図５】
2016195719.tif 000007
【図６】
2016195719.tif 000008
【図７】
2016195719.tif 000009
【図８】
2016195719.tif 000010
【図９】
2016195719.tif 000011
【図１０】
2016195719.tif 000012
【図１１】
2016195719.tif 000013
【図１２】
2016195719.tif 000014
【図１３】
2016195719.tif 000015
【図１４】
2016195719.tif 000016
【図１５】
2016195719.tif 000017
【図１６】
2016195719.tif 000018